(57)【特許請求の範囲】
【請求項１】
受信した制御信号に対応する処理を行なう被制御装置と通信する携帯端末装置であって、
指示入力を受付ける受付手段と、
前記受付手段が前記指示入力を受付けた場合、前記指示入力に割り当てられた前記制御信号を、前記被制御装置へ送信する送信手段と、
前記制御信号を前記被制御装置に送信したことに基づき、前記被制御装置から送信される信号である装置信号を受信する受信手段と、
前記受信手段が前記装置信号を受信した場合、当該装置信号に基づいて前記指示入力に割り当てられた前記制御信号の設定を変更する変更手段と、
前記指示入力に割り当てられた前記制御信号の設定が前記変更手段により変更された場合、前記携帯端末装置を振動させる振動手段とを備える、携帯端末装置。
【請求項２】
音を発生する音発生手段をさらに備え、
前記音発生手段は、前記振動手段によって前記携帯端末装置が振動した後に、前記受付手段が前記指示入力をさらに受け付けた場合に、前記音を発生させる、請求項１に記載の携帯端末装置。
【請求項３】
前記制御信号により前記被制御装置が行なう処理に関連する名称を表示する表示手段をさらに備える、請求項１または２に記載の携帯端末装置。
【請求項４】
前記指示入力は、前記変更手段に前記制御信号の変更を行なわせるための第１入力または前記変更手段に前記制御信号の変更を行なわせない第２入力である、請求項１〜３のいずれかに記載の携帯端末装置。
【請求項５】
前記第１入力は、コンテンツのリスト表示を行なうための入力である、請求項４に記載の携帯端末装置。
【請求項６】
前記第２入力は、音量の変更を行なうための入力またはコンテンツを変更するための入力である、請求項４に記載の携帯端末装置。
【発明の詳細な説明】
【技術分野】
【０００１】
本発明は、携帯端末装置に関し、特に、他の装置を制御するための処理を行なう携帯端末装置に関する。
【背景技術】
【０００２】
近年、リモートコントローラーで制御可能な装置（以下、被制御装置ともいう）の多種多様化がすすんでいる。そのため、リモートコントローラーにおいても、様々な機能が要求される。
【０００３】
特開２００５−０７９９９２号公報（特許文献１）には、リモートコントロール信号（以下、ＲＣ信号ともいう）の出力に応じて、振動するリモートコントローラーが開示されている。
【特許文献１】特開２００５−０７９９９２号公報
【発明の開示】
【発明が解決しようとする課題】
【０００４】
また、近年では、リモートコントローラーとして使用可能な携帯電話等の携帯端末装置も普及しつつある。リモートコントローラーとしての携帯端末装置では、たとえば、携帯端末装置に設けられたボタンに割り当てるＲＣ信号を、変更する機能を有するものもある。
【０００５】
しかしながら、リモートコントローラーとしての携帯端末装置において、ボタンに割り当られたＲＣ信号が変更された際に、当該ＲＣ信号の変更にユーザが気づかなかった場合、ユーザによる誤操作の発生頻度が高くなってしまうという問題が発生する。
【０００６】
本発明は、上述の問題点を解決するためになされたものであって、その目的は、誤操作の発生頻度を低減可能な携帯端末装置を提供することである。
【課題を解決するための手段】
【０００７】
上述の課題を解決するために、この発明のある局面に従うと、受信した制御信号に対応する処理を行なう被制御装置と通信する携帯端末装置は、指示入力を受付ける受付手段と、受付手段が指示入力を受付けた場合、指示入力に対応する、被制御装置を制御するための制御信号を、被制御装置へ送信する送信手段と、受付手段により受付けられた指示入力に対応する、被制御装置を制御するための制御信号を変更する変更手段と、指示入力に対応する制御信号が変更手段により変更された場合、携帯端末装置を振動させる振動手段とを備える。
【０００８】
好ましくは、制御信号により被制御装置が行なう処理に関連する名称を表示する表示手段をさらに備える。
【０００９】
好ましくは、受付手段が指示入力を受付けた場合、音を発する音発生手段をさらに備える。
【００１０】
好ましくは、指示入力は、変更手段に制御信号の変更を行なわせるための第１入力または変更手段に制御信号の変更を行なわせない第２入力である。
【００１１】
好ましくは、第１入力は、コンテンツのリスト表示を行なうための入力である。
好ましくは、第２入力は、音量の変更を行なうための入力またはコンテンツを変更するための入力である。
【００１２】
好ましくは、被制御装置から送信される信号である装置信号を受信する受信手段をさらに備え、変更手段は、受信手段が装置信号を受信した場合、指示入力に対応する制御信号を変更する。
【発明の効果】
【００１３】
本発明に係る携帯端末装置は、指示入力を受付けた場合、指示入力に対応する、被制御装置を制御するための制御信号を、受信した制御信号に対応する処理を行なう被制御装置へ送信し、指示入力に対応する、被制御装置を制御するための制御信号が変更された場合、携帯端末装置を振動させる。
【００１４】
したがって、携帯端末装置のユーザは、指示入力に対応する、被制御装置を制御するための制御信号が変更されたことを容易に気づくことができる。そのため、ユーザによる誤操作の発生頻度を低減することができるという効果を奏する。
【発明を実施するための最良の形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
（システムの構成）
図１は、本実施の形態におけるネットワークシステム１０００の構成を示す図である。図１を参照して、ネットワークシステム１０００は、携帯端末装置５００と、被制御装置６００とを含む。
【００１７】
携帯端末装置５００は、携帯電話である。なお、携帯端末装置５００は、携帯電話に限定されることなく、通信機能を備え、携帯可能な装置であればどのような装置（たとえば、ＰＤＡ（Personal Digital Assistance）、ＰＣ（Personal Computer））でもよい。
【００１８】
携帯端末装置５００は、電話網６０と、無線によりデータ通信可能である。電話網６０は、たとえば、携帯電話のための電話網である。
【００１９】
被制御装置６００は、携帯端末装置５００から送信される信号により制御される装置である。被制御装置６００は、一例として、テレビジョン受信機である。なお、被制御装置６００は、テレビジョン受信機に限定されることなく、携帯端末装置５００から送信される信号により制御される装置であればどのような装置であってもよい。被制御装置６００は、たとえば、映像記録再生装置、音楽再生装置、ＰＣ等であってもよい。
【００２０】
携帯端末装置５００は、無線または有線により、被制御装置６００とデータ通信を行なう。携帯端末装置５００は、無線または有線により、ネットワーク７０とデータ通信を行なう機能を有する。ネットワーク７０は、インターネットなどの広域なネットワークである。
【００２１】
また、被制御装置６００は、無線または有線により、ネットワーク７０とデータ通信を行なう機能を有する。また、ネットワーク７０は、無線または有線により、電話網６０とデータ通信可能である。したがって、携帯端末装置５００は、電話網６０を介して、ネットワーク７０とデータ通信可能である。
【００２２】
（携帯端末装置）
次に、携帯端末装置５００について詳細に説明する。
【００２３】
図２は、携帯端末装置５００の外観を正面から示した図である。図２を参照して、携帯端末装置５００は、表示部５３０と、音声出力部５７０と、ＬＥＤ（Light Emitting Diode）５７６と、撮像部５７８とを備える。
【００２４】
表示部５３０は、文字や画像等を表示する機能を有する。表示部５３０には、文字や画像等を表示する表示面が設けられる。表示部５３０は、ＬＣＤパネル（Liquid Crystal Display Panel）を使用した装置である。なお、表示部５３０は、上記以外の表示方式のパネルを使用した装置であってもよい。
【００２５】
表示部５３０の表示面の解像度は、横４８０（ドット）×縦８００（ドット）である。なお、表示部５３０の表示面の解像度は、横４８０（ドット）×縦８００（ドット）に限定されることなく、他の解像度であってもよい。
【００２６】
また、表示部５３０は、ユーザが、表示面に直接触れることで、情報入力可能なタッチパネル機能を有する。表示部５３０は、ユーザが表示面にタッチした位置情報を、後述する制御部５１０へ送信する。制御部５１０は、受信した位置情報に基づいて、所定の処理を行なう。
【００２７】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００２８】
ＬＥＤ５７６は、携帯端末装置５００で行なわれる処理に応じて、光による報知を行なう。たとえば、ＬＥＤ５７６は、電話の着信があった場合、光を点滅させる。
【００２９】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００３０】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００３１】
撮像処理では以下の処理が行なわれる。まず、撮像部５７８が、撮像対象となる被写体に反射されて撮像レンズに入射した光、または、光源（たとえば、照明）からの光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００３２】
携帯端末装置５００は、さらに、入力部５４０を備える。
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、１秒未満）の押下操作（以下、短押操作ともいう）により、表示部５３０に画像が表示されている場合、画像内の移動させる対象となる物（たとえば、カーソル等）を上下左右に移動させるためのボタンである。
【００３３】
具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、方向ボタン５４１Ａ，５４１Ｂ，５４１Ｃ，５４１Ｄは、ユーザによる長時間（たとえば、一秒以上）の押下操作（以下、長押操作ともいう）により、たとえば画面をそれぞれ、上，下，左，右に画面スクロールすることも可能である。
【００３４】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００３５】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００３６】
機能ボタン５４３Ａは、電話をかけるためのボタンである。たとえば、機能ボタン５４３Ａは、後述する文字ボタン群５４６の短押操作により電話番号を入力した後に、短押操作されることで、入力した電話番号の携帯端末装置に電話をかける処理が行なわれる。また、機能ボタン５４３Ａは、携帯端末装置５００に電話がかかってきた場合、短押操作により通話開始を行なうためのボタンである。機能ボタン５４３Ｂは、携帯端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、携帯端末装置５００の電源のオンとオフとの切替えを行なうためのボタンである。
【００３７】
入力部５４０は、さらに、文字ボタン群５４６を含む。
図３は、一例としての文字ボタン群５４６を示す図である。図３を参照して、文字ボタン群５４６は、文字ボタンＡＢ，ＣＬＢ、ＣＢ，１Ｂ，２Ｂ，３Ｂ，４Ｂ，５Ｂ，６Ｂ，７Ｂ，８Ｂ，９Ｂ，ＫＢ、０Ｂ、＃Ｂを含む。文字ボタンＡＢ，ＣＬＢ、ＣＢ，１Ｂ，２Ｂ，３Ｂ，４Ｂ，５Ｂ，６Ｂ，７Ｂ，８Ｂ，９Ｂ，ＫＢ、０Ｂ、＃Ｂの各々は、短押操作により、数字、文字または記号等を入力するためのボタンである。なお、文字ボタン群５４６に含まれる文字ボタンの数は、１５個に限定されない。
【００３８】
文字ボタンＡＢは、短押操作される毎に、大文字のアルファベットを入力するモードと、小文字のアルファベットを入力するモードとを切換えるためのボタンである。文字ボタンＣＬＢは、短押操作により、入力されている文字を削除するためのボタンである。文字ボタンＣＢは、短押操作される毎に、入力する文字の種別を変更するためのボタンである。文字ボタン１Ｂ，２Ｂ，３Ｂ，４Ｂ，５Ｂ，６Ｂ，７Ｂ，８Ｂ，９Ｂ，ＫＢ、０Ｂ、＃Ｂの各々は、対応するボタン内に表示されている文字等を入力するためのボタンである。たとえば、文字ボタン３Ｂは、短押操作により、“３”、さ、し、す、せ、そ、Ｄ、Ｅ、Ｆ等のいずれかの文字を入力するためのボタンである。
【００３９】
再び、図２を参照して、入力部５４０は、入力部５４０に含まれる複数のボタンのうち、短押操作または長押操作されたボタンに対応するボタン信号を、後述する制御部５１０へ送信する。すなわち、入力部５４０は、ユーザが携帯端末装置５００を操作するためのインターフェースである。以下においては、ユーザによる、入力部５４０の操作または表示部５３０に対するタッチ操作を、インターフェース操作Ｍともいう。
【００４０】
携帯端末装置５００は、さらに、音声入力部５７４と、記録媒体挿入部５５０Ａとを備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、携帯端末装置５００内の後述する制御部５１０へ送信する。記録媒体挿入部５５０Ａは、携帯端末装置５００に後述する記録媒体を挿入する部分である。
【００４１】
図４は、携帯端末装置５００の内部構成を示したブロック図である。なお、図４には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００４２】
図４を参照して、携帯端末装置５００は、さらに、制御部５１０と、一時記憶部５２２と、記憶部５２０とを備える。
【００４３】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、その他の各種データ等が記憶されている。
【００４４】
制御部５１０は、記憶部５２０に記憶されたプログラム１８０に従って、携帯端末装置５００内の各部に対する各種処理や、演算処理等を行なう機能を有する。制御部５１０は、ＣＰＵ（Central Processing Unit）である。なお、制御部５１０は、ＣＰＵに限定されることなく、演算機能を有するその他の回路であってもよい。
【００４５】
一時記憶部５２２は、制御部５１０によってデータアクセスされ、一時的にデータを記憶するワークメモリとして使用される。一時記憶部５２２は、ＤＲＡＭ（Dynamic Random Access Memory）である。なお、一時記憶部５２２は、ＤＲＡＭに限定されることなく、データを揮発的に記憶可能なその他の回路であってもよい。
【００４６】
携帯端末装置５００は、さらに、ＶＤＰ５３２（Video Display Processor）と、ＶＲＡＭ（Video Random Access Memory）５３６とを備える。
【００４７】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００４８】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００４９】
携帯端末装置５００は、さらに、入力部５４０と、記録媒体アクセス部５５０とを備える。
【００５０】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００５１】
記録媒体アクセス部５５０は、記録媒体５５５が前述の記録媒体挿入部５５０Ａから携帯端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００５２】
記録媒体５５５に記憶されているプログラム１８０は、制御部５１０のインストール処理により、記録媒体アクセス部５５０により読み出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００５３】
なお、記憶部５２０には、プログラム１８０がインストールされていなくてもよい。この場合、制御部５１０は、記録媒体アクセス部５５０を介して、記録媒体５５５に記憶されたプログラム１８０を読み出して、プログラム１８０に基づいた所定の処理を行なう。記録媒体５５５には、さらに、コンテンツデータ等も記録されている。コンテンツデータは、たとえば、音楽データ、動画像データ等である。
【００５４】
記録媒体５５５は、ＳＤ（Secure Digital（登録商標））メモリーカードである。なお、記録媒体５５５は、ＳＤメモリーカード（登録商標）に限定されることなく、データを不揮発的に記録可能なその他の媒体であってもよい。
【００５５】
携帯端末装置５００は、さらに、通信部５６０と、通信部５６２とを備える。
通信部５６０は、制御部５１０とデータの送受信を行なう。また、通信部５６０は、被制御装置６００と有線または無線で、データの送受信を行なう機能を有する。
【００５６】
通信部５６０は、ＵＳＢ（登録商標）（Universal Serial Bus）２．０の規格に基づく、シリアル転送を行なう通信用インターフェースの機能を有する。なお、シリアル転送を行なう通信用インターフェースの規格は、ＵＳＢ２．０に限定されることなく他の規格であってもよい。
【００５７】
なお、通信部５６０は、パラレル転送を行なう通信用インターフェースの機能を有していてもよい。パラレル転送を行なう通信用インターフェースは、たとえば、セントロニクス準拠の規格に準拠したインターフェースである。また、通信部５６０は、ＩＥＥＥ１３９４またはＳＣＳＩ規格に基づく通信用インターフェースの機能を有していてもよい。
【００５８】
また、通信部５６０は、さらに、無線データ通信機能を有する。無線データ通信機能は、Bluetooth（登録商標）を使用して、無線でデータ通信を行なう機能を有する。なお、無線データ通信は、Bluetooth（登録商標）を使用した方式に限定されることなく、たとえば、赤外線等を使用した他の通信方式であってもよい。通信部５６０は、制御部５１０からの制御指示に応じて、被制御装置６００と無線でデータ通信を行なう。
【００５９】
通信部５６２は、制御部５１０と、データの送受信を行なう。通信部５６２は、有線技術を利用して、ネットワーク７０とデータ通信を行なう機能を有する。有線技術は、たとえば、イーサネット（登録商標）に基づく技術である。この場合、通信部５６２は、たとえば、ＬＡＮケーブルを介して、ネットワーク７０とデータ通信を行なうことができる。
なお、有線技術は、イーサネット（登録商標）に基づく技術に限定されることなく、その他の有線技術であってもよい。
【００６０】
また、通信部５６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部５６２は、無線により、ネットワーク７０とデータ通信を行なうことができる。
【００６１】
携帯端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００６２】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００６３】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、携帯端末装置５００の位置を大まかに把握することができる。
【００６４】
また、通信部５６６は、ＧＰＳ（Global Positioning System）機能を有する。ＧＰＳ機能とは、人口衛星と通信して、携帯端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００６５】
携帯端末装置５００は、制御部５１０および通信部５６６の処理により、電話網６０を介して、ネットワーク７０からプログラムのダウンロード処理を行ない、記憶部５２０に格納することもできる。この場合、当該ダウンロードしたプログラムは、プログラム１８０である。
【００６６】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００６７】
携帯端末装置５００は、さらに、音声出力部５７２を備える。音声出力部５７２は、携帯端末装置５００の外部に設けられる。音声出力部５７２は、制御部５１０で行なわれる処理に対応した音声を出力する機能を有する。音声出力部５７２には、音声を出力するスピーカが含まれる。音声出力部５７２は、制御部５１０から受信した音声データに基づく音声をスピーカから出力する。
【００６８】
制御部５１０は、前述した音声出力部５７０、音声入力部５７４とデータ通信する。
制御部５１０が、音声データを音声出力部５７０へ送信すると、音声出力部５７０は、制御部５１０から受信した音声データに基づく音声をスピーカから出力する。
【００６９】
ユーザが音声入力部５７４に含まれるマイクに対して音声を発すると、音声入力部５７４は、マイクにより取得した音声を音声データに変換して、音声データを、制御部５１０へ送信する。
【００７０】
制御部５１０は、前述したＬＥＤ５７６および撮像部５７８の各々とデータ通信する。ＬＥＤ５７６は、制御部５１０からの制御指示に基づいて、光を発する。
【００７１】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【００７２】
携帯端末装置５００は、さらに、振動部５７９を備える。振動部５７９は、制御部５１０からの制御指示に基づいて、振動部５７９自身が振動することにより、携帯端末装置５００を振動させる機能を有する。振動部５７９は、たとえば、電話の着信、電子メールの受信時に、制御部５１０からの制御指示に基づいて、携帯端末装置５００を振動させる。
【００７３】
（被制御装置）
次に、被制御装置６００について詳細に説明する。
【００７４】
図５は、被制御装置６００の内部構成を示したブロック図である。図５を参照して、被制御装置６００は、表示部６３０と、音声出力部６７０とを備える。表示部６３０は、文字や画像等を表示する機能を有する。表示部６３０は、ＬＣＤパネル（Liquid Crystal Display Panel）を使用した装置である。なお、表示部５３０は、上記以外の表示方式のパネルを使用した装置であってもよい。
【００７５】
表示部６３０が表示可能な画像のサイズは、表示部５３０が表示可能な画像のサイズより大きい。また、表示部６３０の解像度は、表示部５３０の解像度より大きい。たとえば、表示部６３０の解像度は、横１９２０（ドット）×縦１０８０（ドット）の解像度である。なお、表示部６３０の解像度は、横１９２０（ドット）×縦１０８０（ドット）に限定されることなく、他の解像度であってもよい。
【００７６】
音声出力部６７０は、被制御装置６００の外部に設けられる。音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【００７７】
被制御装置６００は、さらに、制御部６１０と、一時記憶部６２２と、記憶部６２０とを備える。
【００７８】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、その他の各種データ等が記憶されている。
【００７９】
制御部６１０は、記憶部６２０に記憶されたプログラム１８０Ａに従って、被制御装置６００内の各部に対する各種処理や、演算処理等を行なう機能を有する。制御部６１０は、前述の制御部５１０と同様なものであるので詳細な説明は繰り返さない。
【００８０】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【００８１】
被制御装置６００は、さらに、アンテナ６０２と、チューナ６０５と、データ処理部６０７とを備える。
【００８２】
アンテナ６０２は、チューナ６０５と接続されている。チューナ６０５は、制御部６１０により指示された周波数の放送信号を、アンテナ６０２を介して受信する。チューナ６０５は、ディジタル放送に基づく放送信号およびアナログ放送に基づく放送信号を受信する機能を有する。チューナ６０５は、受信した放送信号を、データ処理部６０７へ送信する。
【００８３】
データ処理部６０７は、制御部６１０から、表示部６３０に画像を表示させるための表示指示を受信すると、受信した放送信号から画像データを取得し、当該画像データを、後述するＶＤＰ６３２へ送信する。ＶＤＰ６３２は、画像データを受信すると、表示部６３０に画像データに基づく画像（動画像または静止画像）を表示させる。以下においては、チューナ６０５が受信した放送信号に基づく画像であって、かつ、表示部６３０に表示される画像を、ＴＶ画像ともいう。
【００８４】
データ処理部６０７が受信した放送信号が、アナログ放送に基づく信号である場合であって、かつ、制御部６１０から、録画処理を行なうための録画指示を受信した場合、データ処理部６０７は、放送信号から取得した画像データおよび音声データを圧縮して、録画データとして、記憶部６２０に記憶させる。また、データ処理部６０７が受信した放送信号が、ディジタル放送に基づく信号である場合であって、かつ、制御部６１０から、録画処理を行なうための録画指示を受信した場合、データ処理部６０７は、放送信号から取得した画像データおよび音声データを、録画データとして、記憶部６２０に記憶させる。
【００８５】
記憶部６２０に記憶される録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、Ｈ．２６４等の形式である。以下においては、記憶部６２０に記憶される録画データを、コンテンツともいう。
【００８６】
被制御装置６００は、さらに、ＶＤＰ６３２と、ＶＲＡＭ６３６とを備える。
ＶＲＡＭ６３６は、画像データを一時的に記憶する機能を有する。
【００８７】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【００８８】
ＶＤＰ６３２は表示部６３０と接続されている。ＶＤＰ６３２は、制御部６１０からの描画指示に応じて、記憶部６２０内の後述するプログラム１８０Ａからフォントデータ、図形データ等を読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【００８９】
被制御装置６００は、さらに、入力部６４０を備える。
入力部６４０は、図示されない複数のボタンを含む。複数のボタンは、被制御装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【００９０】
被制御装置６００は、さらに、通信部６６０と、通信部６６２とを備える。
通信部６６０は、制御部６１０とデータの送受信を行なう。また、通信部６６０は、携帯端末装置５００と有線または無線で、データの送受信を行なう機能を有する。なお、通信部６６０は、前述の通信部５６０と同様な構成および機能を有するので詳細な説明は繰り返さない。
【００９１】
通信部６６２は、制御部６１０と、データの送受信を行なう。通信部６６２は、有線技術を利用して、ネットワーク７０とデータ通信を行なう機能を有する。有線技術は、たとえば、イーサネット（登録商標）に基づく技術である。この場合、通信部６６２は、たとえば、ＬＡＮケーブルを介して、ネットワーク７０とデータ通信を行なうことができる。なお、有線技術は、イーサネット（登録商標）に基づく技術に限定されることなく、その他の有線技術であってもよい。
【００９２】
また、通信部６６２は、無線技術を利用して、ネットワーク７０とデータ通信を行なう機能を有する。無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。したがって、通信部６６２は、無線により、ネットワーク７０とデータ通信を行なうことができる。
【００９３】
したがって、本実施の形態における被制御装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【００９４】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【００９５】
被制御装置６００は、さらに、ＲＣ信号受信部６８０を備える。ＲＣ信号受信部６８０は、リモートコントローラー３００から出力される、被制御装置６００を制御するためのリモートコントロール信号（以下、ＲＣ信号ともいう）を受信する機能を有する。ＲＣ信号受信部６８０は、受信したＲＣ信号を制御部６１０へ送信する。制御部６１０は、受信したＲＣ信号に応じて、対応する処理を行なう。
【００９６】
なお、以下においては、携帯端末装置５００の通信部５６０から送信される、被制御装置６００を制御するためのリモートコントロール信号も、ＲＣ信号という。この場合、通信部６６０が、携帯端末装置５００から送信されたＲＣ信号を受信し、受信したＲＣ信号を制御部６１０へ送信する。制御部６１０は、受信したＲＣ信号に応じて、対応する処理を行なう。
【００９７】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【００９８】
（被制御装置の制御）
次に、携帯端末装置５００を、被制御装置６００を制御するためのリモートコントローラーとして使用するための処理について説明する。ここで、被制御装置６００の表示部６３０には、放送信号に基づくＴＶ画像が表示されているとする。また、記憶部５２０に記憶されるプログラム１８０には、リモートコントロールプログラムが含まれるとする。また、携帯端末装置５００において、リモートコントロールプログラムを実行するするためのインターフェース操作Ｍがあると、携帯端末装置５００において、以下の装置制御処理Ｍが行なわれる。なお、被制御装置６００では、制御信号対応処理Ｔが行なわれる。制御信号対応処理Ｔは、他の処理とは独立して行なわれる処理である。
【００９９】
図６は、装置制御処理Ｍおよび制御信号対応処理Ｔのフローチャートを示す図である。図６を参照して、装置制御処理Ｍでは、まず、ステップＳ１１０の処理が行なわれる。
【０１００】
ステップＳ１１０では、制御信号割当処理が行なわれる。制御信号割当処理では、制御部５１０が、入力部５４０に含まれる複数のボタンの一部のボタンを、装置制御ボタン、制御画像変更ボタンおよび制御信号変更ボタンのいずれかに設定する。装置制御ボタンは、被制御装置６００の制御が可能なボタンである。制御画像変更ボタンは、表示部５３０に表示されている制御画像を変更するためのボタンである。制御信号変更ボタンは、携帯端末装置５００が送信するＲＣ信号（制御信号）を変更するためのボタンである。
【０１０１】
具体的には、まず、制御部５１０は、一例として、方向ボタン５４１Ａ，５４１Ｂ，５４１Ｃ，５４１Ｄ、文字ボタン２Ｂ，０Ｂを、装置制御ボタンに設定する。また、制御部５１０は、一例として、文字ボタン４Ｂを、制御画像変更ボタンに設定する。また、制御部５１０は、一例として、文字ボタン５Ｂ，６Ｂを、制御信号変更ボタンに設定する。
【０１０２】
そして、制御部５１０は、装置制御ボタンとしての方向ボタン５４１Ａ，５４１Ｂ，５４１Ｃ，５４１Ｄにそれぞれ、音量アップＲＣ信号、音量ダウンＲＣ信号、チャンネルデクリメントＲＣ信号、チャンネルインクリメントＲＣ信号を割り当てる。
【０１０３】
音量アップＲＣ信号は、被制御装置６００の表示部６３０で表示されるＴＶ画像の音量を大きくするためのＲＣ信号である。音量ダウンＲＣ信号は、被制御装置６００の表示部６３０で表示されるＴＶ画像の音量を小さくするためのＲＣ信号である。チャンネルデクリメントＲＣ信号は、被制御装置６００の表示部６３０で表示されるＴＶ画像のチャンネル番号を“１”デクリメントするためのＲＣ信号である。チャンネルインクリメントＲＣ信号は、被制御装置６００の表示部６３０で表示されるＴＶ画像のチャンネル番号を“１” インクリメントするためのＲＣ信号である。
【０１０４】
また、制御部５１０は、装置制御ボタンとしての文字ボタン２Ｂ，０Ｂにそれぞれ、消音ＲＣ信号、入力切換ＲＣ信号を割り当てる。消音ＲＣ信号は、被制御装置６００の表示部６３０で表示されるＴＶ画像の音声を消すためのＲＣ信号である。入力切換ＲＣ信号は、被制御装置６００の表示部６３０で画像を表示するために外部から入力される映像信号を切換えるためのＲＣ信号である。
【０１０５】
また、制御部５１０は、制御画像変更ボタンとしての文字ボタン４Ｂに、被制御装置６００の表示部６３０に表示される放送の種類を切換えるための制御画像を表示部５３０に表示させる処理（以下、制御画像切換処理ともいう）を割り当てる。
【０１０６】
また、制御部５１０は、制御信号変更ボタンとしての文字ボタン５Ｂ，６Ｂにそれぞれ、リスト表示ＲＣ信号、録画リスト表示ＲＣ信号を割り当てる。リスト表示ＲＣ信号は、現時点で放送している、チャンネル毎の番組（コンテンツ）のタイトルのリスト（一覧）を、被制御装置６００の表示部６３０に表示するためのＲＣ信号である。録画リスト表示ＲＣ信号は、たとえば、被制御装置６００で録画された番組（コンテンツ）のタイトルのリスト（一覧）を、被制御装置６００の表示部６３０に表示するためのＲＣ信号である。
【０１０７】
また、制御部５１０は、入力部５４０に含まれる複数のボタンのうち、上記の割当を行なわなかったボタンを、無効ボタンに設定する。無効ボタンは、押下されても処理が行なわれない無効なボタンである。そして、ステップＳ１１１に進む。
【０１０８】
ステップＳ１１１では、制御画像表示処理が行なわれる。制御画像表示処理では、ステップＳ１１０の制御信号割当処理により、ＲＣ信号および処理が割り当てられたボタンに基づいて、制御部５１０が、ＶＤＰ５３２を利用して、制御画像を生成し、生成した制御画像を、表示部５３０に表示させる。ここで、表示部５３０に表示される制御画像は、以下の制御画像ＭＧ１００であるとする。そして、ステップＳ１１１の処理は終了する。
【０１０９】
図７は、一例としての制御画像ＭＧ１００を示す図である。図７を参照して、制御画像ＭＧ１００には、方向ボタン５４１Ａ，５４１Ｂ，５４１Ｃ，５４１Ｄにそれぞれ対応する方向ボタン画像５４１ＡＧ，５４１ＢＧ，５４１ＣＧ，５４１ＤＧが表示される。また、制御画像ＭＧ１００には、決定ボタン５４１Ｅに対応する決定ボタン画像５４１ＥＧが表示される。
【０１１０】
また、制御画像ＭＧ１００には、文字ボタンＡＢ，ＣＬＢ，ＣＢ，１Ｂ，２Ｂ，３Ｂ，４Ｂ，５Ｂ，６Ｂ，７Ｂ，８Ｂ，９Ｂ，ＫＢ、０Ｂ、＃Ｂにそれぞれ対応する文字ボタン画像ＡＢＧ，ＣＬＢＧ，ＣＢＧ，１ＢＧ，２ＢＧ，３ＢＧ，４ＢＧ，５ＢＧ，６ＢＧ，７ＢＧ，８ＢＧ，９ＢＧ，ＫＢＧ，０ＢＧ，＃ＢＧが表示される。
【０１１１】
制御画像ＭＧ１００に表示される複数のボタン画像のうち、文字列が対応づけて表示されてないボタン画像に対応するボタンは、無効ボタンである。すなわち、決定ボタン画像５４１ＥＧ、文字ボタン画像ＡＢＧ，ＣＬＢＧ，ＣＢＧ，１ＢＧ，３ＢＧ，７ＢＧ，８ＢＧ，９ＢＧ，ＫＢＧ，＃ＢＧの各々に対応するボタンは、無効ボタンである。
【０１１２】
制御画像ＭＧ１００には、設定された装置制御ボタンが識別可能なように表示される。ここで、制御画像ＭＧ１００に表示される方向ボタン画像５４１ＡＧ，５４１ＢＧ，５４１ＣＧ，５４１ＤＧにそれぞれ対応する方向ボタン５４１Ａ，５４１Ｂ，５４１Ｃ，５４１Ｄは、前述の制御信号割当処理によりＲＣ信号が割り当てられた装置制御ボタンであるとする。
【０１１３】
ここで、被制御装置６００が行なう処理に関連する名称が、装置制御ボタンに対応するボタン画像に対応づけて表示されるとする。被制御装置６００が行なう処理に関連する名称は、たとえば、装置制御ボタンに対応するボタン画像の近傍（たとえば、ボタン画像の上、下、左および右等）に表示されるとする。
【０１１４】
たとえば、制御画像ＭＧ１００において、装置制御ボタンとしての方向ボタン５４１Ａに対応する方向ボタン画像５４１ＡＧの上部には、「音量＋」という名称が表示される。方向ボタン画像５４１ＡＧに対応する方向ボタン５４１Ａは、押下されることにより、割り当てられた音量アップＲＣ信号を、被制御装置６００へ送信するためのボタンである。また、制御画像ＭＧ１００において、装置制御ボタンとしての方向ボタン５４１Ｂに対応する方向ボタン画像５４１ＢＧの下部には、「音量ー」という名称が表示される。方向ボタン画像５４１ＢＧに対応する方向ボタン５４１Ｂは、押下されることにより、割り当てられた音量ダウンＲＣ信号を、被制御装置６００へ送信するためのボタンである。
【０１１５】
また、制御画像ＭＧ１００において、装置制御ボタンとしての方向ボタン５４１Ｃに対応する方向ボタン画像５４１ＡＣＧの左側には、「ＣＨ−」という名称が表示される。方向ボタン画像５４１ＣＧに対応する方向ボタン５４１Ｃは、押下されることにより、割り当てられたチャンネルデクリメントＲＣ信号を、被制御装置６００へ送信するためのボタンである。また、制御画像ＭＧ１００において、装置制御ボタンとしての方向ボタン５４１Ｄに対応する方向ボタン画像５４１ＡＤＧの右側には、「ＣＨ＋」という名称が表示される。方向ボタン画像５４１ＤＧに対応する方向ボタン５４１Ｄは、押下されることにより、割り当てられたチャンネルインクリメントＲＣ信号を、被制御装置６００へ送信するためのボタンである。
【０１１６】
なお、表示部５３０に、制御画像ＭＧ１００が表示されている状態で、方向ボタン５４１Ｃおよび方向ボタン５４１Ｄのいずれかが押下されると、被制御装置６００では、受信した、チャンネルデクリメントＲＣ信号またはチャンネルインクリメントＲＣ信号に基づき、表示部６３０に表示している番組（コンテンツ）を変更するための処理が行なわれる。すなわち、制御画像ＭＧ１００が表示されている状態において、方向ボタン５４１Ｃおよび方向ボタン５４１Ｄを押下する操作は、表示部６３０に表示されている番組（コンテンツ）を変更するための指示入力でもある。
【０１１７】
また、制御画像ＭＧ１００に表示される文字ボタン画像２ＢＧ，０ＢＧにそれぞれ対応する文字ボタン２Ｂ，０Ｂは、前述の制御信号割当処理によりＲＣ信号が割り当てられた装置制御ボタンであるとする。ここで、被制御装置６００が行なう処理に関連する名称が、装置制御ボタンに対応するボタン画像に対応づけて表示されるとする。被制御装置６００が行なう処理に関連する名称は、たとえば、装置制御ボタンに対応するボタン画像の枠内に表示されるとする。たとえば、制御画像ＭＧ１００において、文字ボタン画像２ＢＧ，０ＢＧの枠内には、それぞれ、「消音」、「入力切換」という名称が表示される。
【０１１８】
文字ボタン画像２ＢＧに対応する文字ボタン２Ｂは、押下されることにより、割り当てられた消音ＲＣ信号を、被制御装置６００へ送信するためのボタンである。また、文字ボタン画像０ＢＧに対応する文字ボタン０Ｂは、押下されることにより、割り当てられた入力切換ＲＣ信号を、被制御装置６００へ送信するためのボタンである。
【０１１９】
また、制御画像ＭＧ１００には、設定された制御画像変更ボタンが識別可能なように表示される。ここで、制御画像ＭＧ１００に表示される文字ボタン画像４ＢＧに対応する文字ボタン４Ｂは、前述の制御信号割当処理により制御画像切換処理が割り当てられた制御画像変更ボタンであるとする。
【０１２０】
ここで、文字列が、制御画像変更ボタンに対応するボタン画像に対応づけて表示されるとする。文字列は、たとえば、制御画像変更ボタンに対応するボタン画像の枠内に表示されるとする。
【０１２１】
たとえば、制御画像ＭＧ１００において、文字ボタン画像４ＢＧの枠内には、「放送切換」という文字列が表示される。文字ボタン画像４ＢＧに対応する文字ボタン４Ｂは、押下されることにより、割り当てられた制御信号割当処理を行なうためのボタン（以下、放送切換ボタンともいう）である。
【０１２２】
また、制御画像ＭＧ１００には、設定された制御信号変更ボタンが識別可能なように表示される。ここで、制御画像ＭＧ１００に表示される文字ボタン画像５ＢＧ，６ＢＧにそれぞれ対応する文字ボタン５Ｂ，６Ｂは、前述の制御信号割当処理によりＲＣ信号が割り当てられた制御信号変更ボタンであるとする。
【０１２３】
ここで、被制御装置６００が行なう処理に関連する名称が、制御信号変更ボタンに対応するボタン画像に対応づけて表示されるとする。被制御装置６００が行なう処理に関連する名称は、たとえば、制御信号変更ボタンに対応するボタン画像の枠内に表示されるとする。
【０１２４】
たとえば、制御画像ＭＧ１００において、文字ボタン画像５ＢＧ，６ＢＧの枠内には、それぞれ、「番組一覧」、「録画リスト」という文字列が表示される。文字ボタン画像５ＢＧに対応する文字ボタン５Ｂは、押下されることにより、割り当てられたリスト表示ＲＣ信号を、被制御装置６００へ送信するためのボタンである。また、文字ボタン画像６ＢＧに対応する文字ボタン６Ｂは、押下されることにより、割り当てられた録画リスト表示ＲＣ信号を、被制御装置６００へ送信するためのボタンである。
【０１２５】
再び、図６を参照して、ステップＳ１１１の処理の後、ステップＳ１１２に進む。
ステップＳ１１２では、制御部５１０が、有効操作があるか否かを判定する。ここで、表示部５３０に図７の制御画像ＭＧ１００が表示されているとする。この場合、有効操作は、入力部５４０に含まれる複数のボタンのうち、ＲＣ信号または処理が割り当てられているボタンを押下するためのインターフェース操作Ｍとなる。なお、有効操作は、ＲＣ信号または処理が割り当てられているボタン画像が表示部５３０に表示されている場合、当該ボタン画像を押下するためのインターフェース操作Ｍであってもよい。
【０１２６】
ここで、有効操作は、前述した装置制御ボタン、前述した制御画像変更ボタンおよび前述した制御信号変更ボタンのいずれかを押下するためのインターフェース操作Ｍであるとする。表示部５３０に制御画像ＭＧ１００が表示されている場合、有効操作は、制御画像ＭＧ１００に表示された、方向ボタン画像５４１ＡＧ，５４１ＢＧ，５４１ＣＧ，５４１ＤＧ、文字ボタン画像２ＢＧ，０ＢＧ、文字ボタン画像４ＢＧ、文字ボタン画像５ＢＧ，６ＢＧのいずれかに対応するボタンを押下する操作であるとする。すなわち、有効操作は、ユーザによるボタンの押下という指示入力により、入力部５４０が、対応するボタン信号を制御部５１０へ送信するための操作である。
【０１２７】
ステップＳ１１２において、ＹＥＳならば、ステップＳ１１３に進む。一方、ステップＳ１１２において、ＮＯならば、再度、ステップＳ１１２の処理が行なわれる。ここでは、有効操作があったとして、ステップＳ１１３に進む。ここで、行なわれた有効操作は、制御画像ＭＧ１００に表示された方向ボタン画像５４１ＡＧに対応する方向ボタン５４１Ａを押下する操作であるとする。
【０１２８】
ステップＳ１１３では、音発生処理が行なわれる。音発生処理では、制御部５１０が、携帯端末装置５００に設けられたボタンまたは表示部５３０に表示されたボタン画像を押下したことを報知するための音声データを、音声出力部５７２へ送信する。音声出力部５７２は、受信した音声データに基づく音声（たとえば、ビープ音）を、スピーカから出力する。そして、ステップＳ１１４に進む。
【０１２９】
ステップＳ１１４では、制御信号送信処理が行なわれる。制御信号送信処理では、制御部５１０が、通信部５６０を利用して、行なわれた有効操作に対応する、制御信号としてのＲＣ信号を、被制御装置６００へ送信する。ここで、行なわれた有効操作が、制御画像ＭＧ１００に表示された方向ボタン画像５４１ＡＧに対応する方向ボタン５４１Ａを押下する操作であるとする。この場合、被制御装置６００へ送信されるＲＣ信号は、音量アップＲＣ信号となる。
【０１３０】
なお、制御信号送信処理では、行なわれた有効操作が、制御画像変更ボタンを押下する操作である場合、制御部５１０は、制御信号の送信を行なわない。本実施の形態では制御信号の送信を行なわないが、制御信号の送信を行なう場合も考えられる。そして、ステップＳ１１４の処理は終了する。
【０１３１】
被制御装置６００では、制御信号対応処理Ｔが行なわれる。前述したように、制御信号対応処理Ｔは、他の処理とは独立して行なわれる処理である。制御信号対応処理Ｔでは、まず、ステップＳ１４１の処理が行なわれる。
【０１３２】
ステップＳ１４１では、制御部６１０が、有効制御信号を受信したか否かを判定する。ここで、有効制御信号は、制御部６１０が有効制御信号を受信した時点において、制御部６１０が有効制御信号に対応する処理を行なうことが可能な信号である。ステップＳ１４１において、ＹＥＳならば、ステップＳ１４２に進む。一方、ステップＳ１４１において、ＮＯならば、再度、ステップＳ１４１の処理が行なわれる。ここで、制御部６１０は、制御信号としての音量アップＲＣ信号を受信したとする。また、音量アップＲＣ信号は、有効制御信号であるとする。この場合、ステップＳ１４１でＹＥＳと判定され、ステップＳ１４２に進む。
【０１３３】
ステップＳ１４２では、制御信号対応処理が行なわれる。制御信号対応処理では、制御部６１０が、受信した有効制御信号に対応する処理を行なう。ここで、制御部６１０が受信した有効制御信号は、音量アップＲＣ信号であるとする。この場合、制御信号対応処理では、制御部６１０が、表示部６３０で表示されるＴＶ画像の音量を大きくするための処理を行なう。そして、ステップＳ１４３に進む。
【０１３４】
ステップＳ１４３では、詳細は後述するが、制御部６１０が、有効制御信号の変更があったか否かを判定する。ステップＳ１４３において、ＹＥＳならば、後述するステップＳ１４４に進む。一方、ステップＳ１４３において、ＮＯならば、再度、ステップＳ１４１の処理が行なわれる。ここでは、有効制御信号の変更がないとして、再度、ステップＳ１４１の処理が行なわれる。
【０１３５】
装置制御処理Ｍでは、ステップＳ１１４の処理の後、ステップＳ１１５に進む。
ステップＳ１１５では、制御部５１０が、行なわれた有効操作が制御画像変更操作であるか否かを判定する。ここで、表示部５３０には図７の制御画像ＭＧ１００が表示されているとする。この場合、制御部５１０は、文字ボタン画像４ＢＧに対応する制御画像変更ボタンを押下する有効操作が、制御画像変更操作であると判定する。
【０１３６】
なお、表示部５３０に表示されている制御画像を変更するためのボタン画像（以下、制御画像変更ボタン画像ともいう）が表示されている場合、制御部５１０は、制御画像変更ボタン画像を押下するための有効操作が、制御画像変更操作であると判定する。
【０１３７】
ステップＳ１１５において、ＹＥＳならば、後述するステップＳ１２０に進む。一方、ステップＳ１１５において、ＮＯならば、ステップＳ１３１に進む。ここで、行なわれた有効操作は、装置制御ボタンとしての方向ボタン５４１Ａを押下する操作であるとする。この場合、ステップＳ１１５において、ＮＯと判定され、ステップＳ１３１に進む。
【０１３８】
ステップＳ１３１では、制御部５１０が、行なわれた有効操作が制御信号の変更を伴う操作であるか否かを判定する。ここで、表示部５３０には制御画像ＭＧ１００が表示されているとする。この場合、制御部５１０は、文字ボタン画像５ＢＧまたは文字ボタン画像６ＢＧに対応する制御信号変更ボタンを押下する有効操作が、制御信号の変更を伴う操作であると判定する。
【０１３９】
なお、表示部５３０に携帯端末装置５００が送信するＲＣ信号（制御信号）を変更するためのボタン画像（以下、制御信号変更ボタン画像ともいう）が表示されている場合、制御部５１０は、制御信号変更ボタン画像を押下するための有効操作が、制御信号の変更を伴う操作であると判定する。
【０１４０】
ステップＳ１３１において、ＹＥＳならば、後述するステップＳ１７０に進む。一方、ステップＳ１３１において、ＮＯならば、再度、ステップＳ１１２の処理が行なわれる。ここで、行なわれた有効操作は、装置制御ボタンとしての方向ボタン５４１Ａを押下する操作であるとする。この場合、ステップＳ１３１において、ＮＯと判定され、ステップＳ１１２の処理が行なわれる。
【０１４１】
次に、携帯端末装置５００において、制御画像を変更するための有効操作があった場合の処理について説明する。
【０１４２】
まず、装置制御処理ＭのステップＳ１１０，Ｓ１１１が行なわれることにより、表示部５３０には、図７の制御画像ＭＧ１００が表示されているとする。ここで、制御画像ＭＧ１００に表示された文字ボタン画像４ＢＧに対応する、制御画像変更ボタンとしての文字ボタン４Ｂが押下されたとする。この場合、ステップＳ１１２において、有効操作があると判定され、ステップＳ１１３に進む。
【０１４３】
ステップＳ１１３では、前述したのと同様な処理が行なわれるので詳細な説明は繰り返さない。
【０１４４】
ステップＳ１１４では、前述したのと同様に制御信号送信処理が行なわれる。ここで、行なわれた有効操作は、制御画像ＭＧ１００に表示された文字ボタン画像４ＢＧに対応する、制御画像変更ボタンとしての文字ボタン４Ｂを押下する操作であるとする。この場合、制御部５１０は、制御信号の送信を行なわない。そして、ステップＳ１１５に進む。
【０１４５】
ステップＳ１１５では、前述したのと同様な処理が行なわれるので詳細な説明は繰り返さない。ここで、行なわれた有効操作は、制御画像ＭＧ１００に表示された文字ボタン画像４ＢＧに対応する、制御画像変更ボタンとしての文字ボタン４Ｂを押下する操作であるとする。この場合、制御部５１０は、行なわれた有効操作が制御画像変更操作であると判定して、ステップＳ１２０に進む。
【０１４６】
ステップＳ１２０では、制御信号変更処理が行なわれる。制御信号変更処理では、行なわれた制御画像変更操作に基づいて、装置制御ボタンが設定される。そして、設定された装置制御ボタンに対し、制御信号としてのＲＣ信号が割り当てられる。なお、設定された装置制御ボタンに対し、すでに、ＲＣ信号が割り当てられている場合、割り当てられているＲＣ信号が、他のＲＣ信号に変更される。
【０１４７】
ここで、行なわれた制御画像変更操作は、制御画像ＭＧ１００に表示された文字ボタン画像４ＢＧに対応する、制御画像変更ボタンとしての文字ボタン４Ｂ（放送切換ボタン）を押下する操作であるとする。この場合、制御部５１０は、まず、一例として、文字ボタン４Ｂ，５Ｂ，６Ｂを、装置制御ボタンに設定する。
【０１４８】
ここで、文字ボタン４Ｂ，５Ｂ，６Ｂの各々には、すでに、ＲＣ信号が割り当てられているとする。この場合、制御部５１０は、文字ボタン４Ｂに割り当てるＲＣ信号を、現時点で割り当てられているＲＣ信号から、被制御装置６００の表示部６３０で表示される放送を、アナログ放送に切換えるためのＲＣ信号（以下、アナログ放送切換ＲＣ信号ともいう）に変更する。
【０１４９】
また、制御部５１０は、文字ボタン５Ｂに割り当てるＲＣ信号を、現時点で割り当てられているＲＣ信号から、被制御装置６００の表示部６３０で表示される放送を、ディジタル放送に切換えるためのＲＣ信号（以下、ディジタル放送切換ＲＣ信号ともいう）に変更する。また、制御部５１０は、文字ボタン６Ｂに割り当てるＲＣ信号を、現時点で割り当てられているＲＣ信号から、被制御装置６００の表示部６３０で表示される放送を、ＢＳ（Broadcasting Satellite）放送に切換えるためのＲＣ信号（以下、ＢＳ放送切換ＲＣ信号ともいう）に変更する。
【０１５０】
また、制御部５１０は、入力部５４０に含まれる複数のボタンのうち、上記の割当の変更を行なわなかったボタンを、無効ボタンに設定する。そして、ステップＳ１２０Ａに進む。
【０１５１】
ステップＳ１２０Ａでは、制御画像変更処理が行なわれる。制御画像変更処理では、ステップＳ１２０の制御信号変更処理によりＲＣ信号が割り当てられた装置制御ボタンに基づいて、制御部５１０が、ＶＤＰ５３２を利用して、制御画像を生成し、生成した制御画像を、表示部５３０に表示させる。すなわち、表示部５３０に表示されている制御画像が変更される。
【０１５２】
ここで、制御信号変更処理によりＲＣ信号が割り当てられた装置制御ボタンは、文字ボタン４Ｂ，５Ｂ，６Ｂであるとする。また、文字ボタン４Ｂ，５Ｂ，６Ｂには、それぞれ、アナログ放送切換ＲＣ信号、ディジタル放送切換ＲＣ信号、ＢＳ放送切換ＲＣ信号が割り当てられたとする。この場合、制御画像変更処理により、以下の制御画像ＭＧ１００Ａが生成され、制御画像ＭＧ１００Ａが表示部５３０に表示される。そして、ステップＳ１２０Ａの処理は終了する。
【０１５３】
図８は、一例としての制御画像ＭＧ１００Ａを示す図である。図８を参照して、制御画像ＭＧ１００Ａは、図７の制御画像ＭＧ１００と比較して、方向ボタン画像５４１ＡＧ，５４１ＢＧ，５４１ＣＧ，５４１ＤＧの代わりに方向ボタン画像５４１ＡＧＮ，５４１ＢＧＮ，５４１ＣＧＮ，５４１ＤＧＮが表示される点と、決定ボタン画像５４１ＥＧの代わりに、決定ボタン画像５４１ＥＧＮが表示される点と、文字ボタン画像２ＢＧ，０ＢＧの代わりに文字ボタン画像２ＢＧＮ，０ＢＧＮが表示される点と、文字ボタン画像４ＢＧ，５ＢＧ，６ＢＧの代わりに文字ボタン画像４ＢＧＡ，５ＢＧＡ，６ＢＧＡが表示される点と、ボタン画像ＢＢＧがさらに表示される点とが異なる。それ以外は、制御画像ＭＧ１００と同様なので詳細な説明は繰り返さない。
【０１５４】
方向ボタン画像５４１ＡＧＮ，５４１ＢＧＮ，５４１ＣＧＮ，５４１ＤＧＮは、それぞれ、方向ボタン５４１Ａ，５４１Ｂ，５４１Ｃ，５４１Ｄに対応するボタン画像である。決定ボタン画像５４１ＥＧＮは、決定ボタン５４１Ｅに対応するボタン画像である。文字ボタン画像２ＢＧＮ，４ＢＧＡ，５ＢＧＡ，６ＢＧＡ，０ＢＧＮは、それぞれ、文字ボタン２Ｂ，４Ｂ，５Ｂ，６Ｂ，０Ｂに対応するボタン画像である。
【０１５５】
ボタン画像ＢＢＧは、機能ボタン５４２Ａに対応するボタン画像である。
制御画像ＭＧ１００Ａに表示される複数のボタン画像のうち、文字列が対応づけて表示されてないボタン画像に対応するボタンは、無効ボタンである。すなわち、方向ボタン画像５４１ＡＧＮ，５４１ＢＧＮ，５４１ＣＧＮ，５４１ＤＧＮ、決定ボタン画像５４１ＥＧＮ、文字ボタン画像ＡＢＧ，ＣＬＢＧ，ＣＢＧ，１ＢＧ，２ＢＧＮ，３ＢＧ，７ＢＧ，８ＢＧ，９ＢＧ，ＫＢＧ、０ＢＧＮ、＃ＢＧの各々に対応するボタンは、無効ボタンである。
【０１５６】
制御画像ＭＧ１００Ａには、設定された装置制御ボタンが識別可能なように表示される。ここで、制御画像ＭＧ１００Ａに表示される文字ボタン画像４ＢＧＡ，５ＢＧＡ，６ＢＧＡにそれぞれ対応する、文字ボタン４Ｂ，５Ｂ，６Ｂは、前述の制御信号変更処理によりＲＣ信号が割り当てられた装置制御ボタンであるとする。
【０１５７】
ここで、被制御装置６００が行なう処理に関連する名称が、装置制御ボタンに対応するボタン画像に対応づけて表示されるとする。被制御装置６００が行なう処理に関連する名称は、たとえば、装置制御ボタンに対応するボタン画像の枠内に表示されるとする。たとえば、制御画像ＭＧ１００Ａにおいて、文字ボタン画像４ＢＧＡ，５ＢＧＡ，６ＢＧＡの枠内には、それぞれ、「アナログ放送」、「ディジタル放送」、「ＢＳ放送」という名称が表示される。
【０１５８】
ここで、文字ボタン画像４ＢＧＡに対応する文字ボタン４Ｂは、押下されることにより、割り当てられたアナログ放送切換ＲＣ信号を、被制御装置６００へ送信するためのボタンである。また、文字ボタン画像５ＢＧＡに対応する文字ボタン５Ｂは、押下されることにより、割り当てられたディジタル放送切換ＲＣ信号を、被制御装置６００へ送信するためのボタンである。また、文字ボタン画像６ＢＧＡに対応する文字ボタン６Ｂは、押下されることにより、割り当てられたＢＳ放送切換ＲＣ信号を、被制御装置６００へ送信するためのボタンである。
【０１５９】
また、ボタン画像ＢＢＧに対応する機能ボタン５４２Ａは、押下されることにより、表示部５３０に、図７の制御画像ＭＧ１００を表示させるためのボタンである。
【０１６０】
再び、図６を参照して、ステップＳ１２０Ａの処理の後、ステップＳ１２１に進む。
ステップＳ１２１では、振動発生処理が行なわれる。振動発生処理では、制御部５１０が、振動部５７９へ、振動部５７９を振動させるための制御指示（以下、振動制御指示ともいう）を送信する。振動部５７９は、振動制御指示を受信すると、振動部５７９自身が所定時間（たとえば、２秒）振動することにより、携帯端末装置５００を振動させる。そして、ステップＳ１２１の処理は終了する。
【０１６１】
以上の振動発生処理が行なわれることにより、ボタンに割当てられた、制御信号としてのＲＣ信号が変更されても、ユーザは、携帯端末装置５００が振動することにより、ボタンの制御信号の割り当てが変更したことを容易に気づくことができる。
【０１６２】
ステップＳ１２１の処理の後、ステップＳ１２２に進む。
ステップＳ１２２では、制御部５１０が、有効操作があるか否かを判定する。ここで、表示部５３０に図８の制御画像ＭＧ１００Ａが表示されているとする。この場合、有効操作は、入力部５４０に含まれる複数のボタンのうち、ＲＣ信号または処理が割り当てられているボタンを押下するためのインターフェース操作Ｍとなる。なお、有効操作は、ＲＣ信号または処理が割り当てられているボタン画像が表示部５３０に表示されている場合、当該ボタン画像を押下するためのインターフェース操作Ｍであってもよい。
【０１６３】
ここで、有効操作は、前述した装置制御ボタンを押下するためのインターフェース操作Ｍであるとする。表示部５３０に制御画像ＭＧ１００Ａが表示されている場合、有効操作は、制御画像ＭＧ１００Ａに表示された、文字ボタン画像４ＢＧＡ，５ＢＧＡ，６ＢＧＡのいずれかに対応するボタンを押下する操作であるとする。
【０１６４】
ステップＳ１２２において、ＹＥＳならば、ステップＳ１２３に進む。一方、ステップＳ１２２において、ＮＯならば、後述するステップＳ１２５に進む。ここでは、有効操作があったとして、ステップＳ１２３に進む。ここで、有効操作は、制御画像ＭＧ１００Ａに表示された文字ボタン画像５ＢＧＡに対応する文字ボタン５Ｂを押下する操作であるとする。
【０１６５】
ステップＳ１２３では、ステップＳ１１３と同様に音発生処理が行なわれるので詳細な説明は繰り返さない。そして、ステップＳ１２４に進む。
【０１６６】
ステップＳ１２４では、ステップＳ１１４と同様に制御信号送信処理が行なわれるので詳細な説明は繰り返さない。ここで、行なわれた有効操作が、制御画像ＭＧ１００Ａに表示された文字ボタン画像５ＢＧＡに対応する文字ボタン５Ｂを押下する操作であるとする。この場合、制御部５１０は、通信部５６０を利用して、制御信号としてのディジタル放送切換ＲＣ信号を、被制御装置６００へ送信する。そして、ステップＳ１２４の処理は終了する。
【０１６７】
被制御装置６００では、制御信号対応処理ＴのステップＳ１４１が行なわれる。
ステップＳ１４１では、前述したのと同様な処理が行なわれるので詳細な説明は繰り返さない。ここで、制御部６１０は、制御信号としてのディジタル放送切換ＲＣ信号を受信したとする。また、ディジタル放送切換ＲＣ信号は、有効制御信号であるとする。この場合、ステップＳ１４１でＹＥＳと判定され、ステップＳ１４２に進む。
【０１６８】
ステップＳ１４２では、前述したのと同様に制御信号対応処理が行なわれる。ここで、制御部６１０が受信した有効制御信号は、ディジタル放送切換ＲＣ信号であるとする。この場合、制御信号対応処理では、制御部６１０が、ＶＤＰ６３２を利用して、表示部６３０で表示される放送を、ディジタル放送に切換えるための処理を行なう。
【０１６９】
ステップＳ１４３では、前述したのと同様な処理が行なわれるので詳細な説明は繰り返さない。ここでは、有効制御信号の変更がないとして、再度、ステップＳ１４１の処理が行なわれる。
【０１７０】
装置制御処理Ｍでは、ステップＳ１２４の処理の後、ステップＳ１２５に進む。
ステップＳ１２５では、制御部５１０が、戻り操作があるが否かを判定する。ここで、戻り操作は、図８の制御画像ＭＧ１００Ａに表示されるボタン画像ＢＢＧに対応する機能ボタン５４２Ａを押下するためのインターフェース操作Ｍである。ステップＳ１２５において、ＹＥＳならば、再度、ステップＳ１１０の処理が行なわれる。一方、ステップＳ１２２において、ＮＯならば、再度、ステップＳ１２２の処理が行なわれる。
【０１７１】
次に、携帯端末装置５００において、制御信号の変更を伴う有効操作があった場合の処理について説明する。
【０１７２】
まず、装置制御処理ＭのステップＳ１１０，Ｓ１１１が行なわれることにより、表示部５３０には、図７の制御画像ＭＧ１００が表示されているとする。ここで、制御画像ＭＧ１００に表示された文字ボタン画像５ＢＧに対応する、制御信号変更ボタンとしての文字ボタン５Ｂが押下されたとする。この場合、ステップＳ１１２において、有効操作があると判定され、ステップＳ１１３に進む。
【０１７３】
ステップＳ１１３では、前述したのと同様な処理が行なわれるので詳細な説明は繰り返さない。
【０１７４】
ステップＳ１１４では、前述したのと同様に制御信号送信処理が行なわれる。ここで、行なわれた有効操作は、制御画像ＭＧ１００に表示された文字ボタン画像５ＢＧに対応する、制御信号変更ボタンとしての文字ボタン５Ｂを押下する操作であるとする。この場合、制御部５１０は、通信部５６０を利用して、制御信号としての前述のリスト表示ＲＣ信号を、被制御装置６００へ送信する。前述したように、リスト表示ＲＣ信号は、現時点で放送している、チャンネル毎の番組（コンテンツ）のタイトルのリスト（一覧）を、被制御装置６００の表示部６３０に表示するための信号である。ここで、リスト表示ＲＣ信号は、有効制御信号であるとする。
【０１７５】
被制御装置６００では、制御信号対応処理ＴのステップＳ１４１において、有効制御信号（リスト表示ＲＣ信号）を受信したと判定され、ステップＳ１４２に進む。
【０１７６】
ステップＳ１４２では、前述したのと同様に制御信号対応処理が行なわれる。ここで、制御部６１０が受信した有効制御信号は、リスト表示ＲＣ信号であるとする。この場合、制御信号対応処理では、制御部６１０が、ＶＤＰ６３２を利用して、以下の番組リスト画像Ｇ２００を生成し、表示部６３０に番組リスト画像Ｇ２００を表示させる。
【０１７７】
図９は、一例としての番組リスト画像Ｇ２００を示す図である。図９を参照して、番組リスト画像Ｇ２００は、番組画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２が配置される。番組画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々の左上には、チャンネル番号が対応づけて表示される。
【０１７８】
また、番組画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々には、対応するチャンネル番号の番組のタイトル名が表示される。
【０１７９】
なお、番組画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９，ＢＧ２２０，ＢＧ２２１，ＢＧ２２２の各々には、サムネイル画像が表示されてもよい。サムネイル画像は、対応する番組の内容を示すための画像である。サムネイル画像は、動画像および静止画像のいずれであってもよい。サムネイル画像は、たとえば、対応する番組の１シーンの動画像であってもよい。
【０１８０】
また、番組リスト画像Ｇ２００には、選択枠ＳＲ２５０が、一例として、番組画像ＢＧ２１５を囲むように配置される。選択枠ＳＲ２５０に囲まれている番組画像は、選択状態の番組画像である。なお、初期状態の選択枠ＳＲ２５０の配置位置は、番組画像ＢＧ２１５を囲む位置に限定されることなく、他の番組画像を囲む位置であってもよい。
【０１８１】
再び、図６を参照して、ステップＳ１４２の制御信号対応処理では、さらに、有効制御信号変更処理が行なわれる。有効制御信号変更処理では、制御部６１０が、有効制御信号の変更を行なう。表示部６３０に番組リスト画像Ｇ２００が表示されている場合、制御部６１０は、有効制御信号を、ＵＰ−ＲＣ信号、ＤＯＷＮ−ＲＣ信号、ＬＥＦＴ−ＲＣ信号、ＲＩＧＨＴ−ＲＣ信号およびＥＮＴＥＲ−ＲＣ信号のみに設定する。ＵＰ−ＲＣ信号、ＤＯＷＮ−ＲＣ信号、ＬＥＦＴ−ＲＣ信号およびＲＩＧＨＴ−ＲＣ信号は、選択枠ＳＲ２５０を、それぞれ、上、下、左および右に移動させるためのＲＣ信号である。また、ＥＮＴＥＲ−ＲＣ信号は、選択枠ＳＲ２５０により選択状態の番組画像に決定するためのＲＣ信号である。
【０１８２】
ステップＳ１４３では、制御部６１０が、有効制御信号の変更があったか否かを判定する。具体的には、ステップＳ１４２の制御信号対応処理において、有効制御信号変更処理が行なわれたか否かが判定される。ここでは、有効制御信号変更処理が行なわれたとして、ステップＳ１４４に進む。
【０１８３】
ステップＳ１４４では、制御部６１０が、有効制御信号変更信号を、携帯端末装置５００へ送信する。有効制御信号変更信号は、制御部６１０が、対応する処理を行なうことが可能な有効制御信号が変更されたことを通知するための信号である。ここで、送信される有効制御信号変更信号は、有効制御信号に設定されたＲＣ信号の情報（ＵＰ−ＲＣ信号、ＤＯＷＮ−ＲＣ信号、ＬＥＦＴ−ＲＣ信号、ＲＩＧＨＴ−ＲＣ信号およびＥＮＴＥＲ−ＲＣ信号の情報）を含むとする。ステップＳ１４４の処理の後、再度、ステップＳ１４１の処理が行なわれる。なお、有効制御信号変更信号は、被制御装置６００から送信される信号（以下、装置信号ともいう）でもある。
【０１８４】
装置制御処理Ｍでは、ステップＳ１１４の処理の後、ステップＳ１１５に進む。
ステップＳ１１５では、前述したのと同様な処理が行なわれるので詳細な説明は繰り返さない。ここで、行なわれた有効操作は、図７の制御画像ＭＧ１００に表示された文字ボタン画像５ＢＧに対応する、制御信号変更ボタンとしての文字ボタン５Ｂを押下する操作であるとする。この場合、ステップＳ１１５において、ＮＯと判定され、ステップＳ１３１に進む。
【０１８５】
ステップＳ１３１では、前述したのと同様な処理が行なわれるので詳細な説明は繰り返さない。ここで、表示部５３０には図７の制御画像ＭＧ１００が表示されているとする。この場合、制御部５１０は、文字ボタン画像５ＢＧまたは文字ボタン画像６ＢＧに対応する制御信号変更ボタンを押下する有効操作が、制御信号の変更を伴う操作であると判定する。ここで、行なわれた有効操作は、制御画像ＭＧ１００に表示された文字ボタン画像５ＢＧに対応する、制御信号変更ボタンとしての文字ボタン５Ｂを押下する操作であるとする。この場合、ステップＳ１３１において、ＹＥＳと判定され、ステップＳ１７０に進む。
【０１８６】
ステップＳ１７０では、制御部５１０が、変更信号対応処理Ｍを行なう。
図１０は、変更信号対応処理Ｍのフローチャートである。図１０を参照して、変更信号対応処理Ｍでは、まず、ステップ１７１の処理が行なわれる。
【０１８７】
ステップＳ１７１では、制御部５１０が、有効制御信号変更信号を受信したか否かを判定する。ステップＳ１７１において、ＹＥＳならば、ステップＳ１７２に進む。一方、ステップＳ１７１において、ＮＯならば、再度、ステップＳ１７１の処理が行なわれる。ここでは、被制御装置６００から有効制御信号変更信号を受信したとして、ステップＳ１７２に進む。
【０１８８】
ステップＳ１７２では、制御信号変更処理Ａが行なわれる。制御信号変更処理Ａでは、受信した有効制御信号変更信号に含まれるＲＣ信号の情報に基づいて、装置制御ボタンが設定される。そして、設定された装置制御ボタンに対し、制御信号としてのＲＣ信号が割り当てられる。なお、設定された装置制御ボタンに対し、すでに、ＲＣ信号が割り当てられている場合、割り当てられているＲＣ信号が、他のＲＣ信号に変更される。
【０１８９】
ここで、受信した有効制御信号変更信号に含まれるＲＣ信号の情報は、ＵＰ−ＲＣ信号、ＤＯＷＮ−ＲＣ信号、ＬＥＦＴ−ＲＣ信号、ＲＩＧＨＴ−ＲＣ信号およびＥＮＴＥＲ−ＲＣ信号の情報であるとする。
【０１９０】
この場合、制御部５１０は、一例として、方向ボタン５４１Ａ，５４１Ｂ，５４１Ｃ，５４１Ｄ、決定ボタン５４１Ｅを、装置制御ボタンに設定する。ここで、方向ボタン５４１Ａ，５４１Ｂ，５４１Ｃ，５４１Ｄの各々には、すでに、ＲＣ信号が割り当てられているとする。この場合、制御部５１０は、方向ボタン５４１Ａに割り当てるＲＣ信号を、現時点で割り当てられているＲＣ信号から、ＵＰ−ＲＣ信号に変更する。同様に、制御部５１０は、方向ボタン５４１Ｂ，５４１Ｃ，５４１Ｄに割り当てるＲＣ信号を、現時点で割り当てられているＲＣ信号から、それぞれ、ＤＯＷＮ−ＲＣ信号、ＬＥＦＴ−ＲＣ信号およびＲＩＧＨＴ−ＲＣ信号に変更する。
【０１９１】
また、制御部５１０は、決定ボタン５４１Ｅに、ＥＮＴＥＲ−ＲＣ信号を割り当てる。
また、制御部５１０は、入力部５４０に含まれる複数のボタンのうち、上記の割当を行なわなかったボタンを、無効ボタンに設定する。そして、ステップＳ１７３に進む。
【０１９２】
ステップＳ１７３では、制御画像変更処理Ａが行なわれる。制御画像変更処理Ａでは、ステップＳ１７２の制御信号変更処理ＡによりＲＣ信号が割り当てられた装置制御ボタンに基づいて、制御部５１０が、ＶＤＰ５３２を利用して、制御画像を生成し、生成した制御画像を、表示部５３０に表示させる。すなわち、表示部５３０に表示されている制御画像が変更される。
【０１９３】
ここで、制御信号変更処理ＡによりＲＣ信号が割り当てられた装置制御ボタンは、方向ボタン５４１Ａ，５４１Ｂ，５４１Ｃ，５４１Ｄ、決定ボタン５４１Ｅであるとする。また、方向ボタン５４１Ａ，５４１Ｂ，５４１Ｃ，５４１Ｄ、決定ボタン５４１Ｅ
には、それぞれ、ＵＰ−ＲＣ信号、ＤＯＷＮ−ＲＣ信号、ＬＥＦＴ−ＲＣ信号、ＲＩＧＨＴ−ＲＣ信号およびＥＮＴＥＲ−ＲＣ信号が割り当てられたとする。この場合、制御画像変更処理Ａにより、以下の制御画像ＭＧ１００Ｂが生成され、制御画像ＭＧ１００Ｂが表示部５３０に表示される。そして、ステップＳ１７３の処理は終了する。
【０１９４】
図１１は、一例としての制御画像ＭＧ１００Ｂを示す図である。図１１を参照して、制御画像ＭＧ１００Ｂは、図８の制御画像ＭＧ１００Ａと比較して、方向ボタン画像５４１ＡＧＮ，５４１ＢＧＮ，５４１ＣＧＮ，５４１ＤＧＮの代わりに方向ボタン画像５４１ＡＧＢ，５４１ＢＧＢ，５４１ＣＧＢ，５４１ＤＧＢが表示される点と、決定ボタン画像５４１ＥＧＮの代わりに決定ボタン画像５４１ＥＧＢが表示される点と、文字ボタン画像４ＢＧＡ，５ＢＧＡ，６ＢＧＡの代わりに文字ボタン画像４ＢＧＮ，５ＢＧＮ，６ＢＧＮが表示される点とが異なる。それ以外は、制御画像ＭＧ１００Ａと同様なので詳細な説明は繰り返さない。
【０１９５】
方向ボタン画像５４１ＡＧＢ，５４１ＢＧＢ，５４１ＣＧＢ，５４１ＤＧＢは、それぞれ、方向ボタン５４１Ａ，５４１Ｂ，５４１Ｃ，５４１Ｄに対応するボタン画像である。決定ボタン画像５４１ＥＧＢは、決定ボタン５４１Ｅに対応するボタン画像である。文字ボタン画像４ＢＧＮ，５ＢＧＮ，６ＢＧＮは、それぞれ、文字ボタン４Ｂ，５Ｂ，６Ｂに対応するボタン画像である。
【０１９６】
制御画像ＭＧ１００Ｂに表示される複数のボタン画像のうち、文字列が対応づけて表示されてないボタン画像に対応するボタンは、無効ボタンである。すなわち、文字ボタン画像ＡＢＧ，ＣＬＢＧ，ＣＢＧ，１ＢＧ，２ＢＧＮ，３ＢＧ，４ＢＧＮ，５ＢＧＮ，６ＢＧＮ，７ＢＧ，８ＢＧ，９ＢＧ，ＫＢＧ、０ＢＧＮ、＃ＢＧの各々に対応するボタンは、無効ボタンである。
【０１９７】
制御画像ＭＧ１００Ｂには、設定された装置制御ボタンが識別可能なように表示される。ここで、制御画像ＭＧ１００Ｂに表示される方向ボタン画像５４１ＡＧＢ，５４１ＢＧＢ，５４１ＣＧＢ，５４１ＤＧＢ、決定ボタン画像５４１ＥＧＢにそれぞれ対応する、方向ボタン５４１Ａ，５４１Ｂ，５４１Ｃ，５４１Ｄ、決定ボタン５４１Ｅは、前述の制御信号変更処理ＡによりＲＣ信号が割り当てられた装置制御ボタンであるとする。
【０１９８】
ここで、被制御装置６００が行なう処理に関連する名称が、装置制御ボタンに対応するボタン画像に対応づけて表示されるとする。被制御装置６００が行なう処理に関連する名称は、たとえば、装置制御ボタンに対応するボタン画像の近傍（たとえば、ボタン画像の上、下、左および右等）に表示されるとする。
【０１９９】
たとえば、制御画像ＭＧ１００Ｂにおいて、装置制御ボタンとしての方向ボタン５４１Ａに対応する方向ボタン画像５４１ＡＧＢの上部には、「ＵＰ」という名称が表示される。方向ボタン画像５４１ＡＢに対応する方向ボタン５４１Ａは、押下されることにより、割り当てられたＵＰ−ＲＣ信号を、被制御装置６００へ送信するためのボタンである。また、制御画像ＭＧ１００Ｂにおいて、装置制御ボタンとしての方向ボタン５４１Ｂに対応する方向ボタン画像５４１ＢＧＢの下部には、「ＤＯＷＮ」という名称が表示される。方向ボタン画像５４１ＢＧＢに対応する方向ボタン５４１Ｂは、押下されることにより、割り当てられたＤＯＷＮ−ＲＣ信号を、被制御装置６００へ送信するためのボタンである。
【０２００】
また、制御画像ＭＧ１００Ｂにおいて、装置制御ボタンとしての方向ボタン５４１Ｃに対応する方向ボタン画像５４１ＡＣＧＢの左側には、「ＬＥＦＴ」という名称が表示される。方向ボタン画像５４１ＣＧＢに対応する方向ボタン５４１Ｃは、押下されることにより、割り当てられたＬＥＦＴ−ＲＣ信号を、被制御装置６００へ送信するためのボタンである。また、制御画像ＭＧ１００において、装置制御ボタンとしての方向ボタン５４１Ｄに対応する方向ボタン画像５４１ＡＤＧＢの右側には、「ＲＩＧＨＴ」という名称が表示される。方向ボタン画像５４１ＤＧＢに対応する方向ボタン５４１Ｄは、押下されることにより、割り当てられたＲＩＧＨＴ−ＲＣ信号を、被制御装置６００へ送信するためのボタンである。
【０２０１】
また、制御画像ＭＧ１００Ｂにおいて、装置制御ボタンとしての決定ボタン５４１Ｅに対応する決定ボタン画像５４１ＥＧＢの下部には、「ＥＮＴＥＲ」という名称が表示される。決定ボタン画像５４１ＥＧＢに対応する決定ボタン５４１Ｅは、押下されることにより、割り当てられたＥＮＴＥＲ−ＲＣ信号を、被制御装置６００へ送信するためのボタンである。
【０２０２】
再び、図１０を参照して、ステップＳ１７３の処理の後、ステップＳ１７４に進む。
ステップＳ１７４では、図６のステップＳ１２１と同様に振動発生処理が行なわれるので詳細な説明は繰り返さない。そして、ステップＳ１７５に進む。
【０２０３】
ステップＳ１７５では、制御部５１０が、有効操作があるか否かを判定する。ここで、表示部５３０に図１１の制御画像ＭＧ１００Ｂが表示されているとする。この場合、有効操作は、入力部５４０に含まれる複数のボタンのうち、ＲＣ信号または処理が割り当てられているボタンを押下するためのインターフェース操作Ｍとなる。なお、有効操作は、ＲＣ信号または処理が割り当てられているボタン画像が表示部５３０に表示されている場合、当該ボタン画像を押下するためのインターフェース操作Ｍであってもよい。
【０２０４】
ここで、有効操作は、前述した装置制御ボタンを押下するためのインターフェース操作Ｍであるとする。表示部５３０に制御画像ＭＧ１００Ｂが表示されている場合、有効操作は、制御画像ＭＧ１００Ｂに表示された、方向ボタン画像５４１ＡＧＢ，５４１ＢＧＢ，５４１ＣＧＢ，５４１ＤＧＢ、決定ボタン画像５４１ＥＧＢのいずれかに対応するボタンを押下する操作であるとする。
【０２０５】
ステップＳ１７５において、ＹＥＳならば、ステップＳ１７６に進む。一方、ステップＳ１７５において、ＮＯならば、後述するステップＳ１７８に進む。ここでは、有効操作があったとして、ステップＳ１７６に進む。ここで、有効操作は、制御画像ＭＧ１００Ｂに表示された方向ボタン画像５４１ＡＧＢに対応する方向ボタン５４１Ａを押下する操作であるとする。
【０２０６】
ステップＳ１７６では、図６のステップＳ１１３と同様に音発生処理が行なわれるので詳細な説明は繰り返さない。そして、ステップＳ１７７に進む。
【０２０７】
ステップＳ１７７では、図６のステップＳ１１４と同様に制御信号送信処理が行なわれるので詳細な説明は繰り返さない。ここで、行なわれた有効操作が、制御画像ＭＧ１００Ｂに表示された方向ボタン画像５４１ＡＧＢに対応する方向ボタン５４１Ａを押下する操作であるとする。この場合、制御部５１０は、通信部５６０を利用して、制御信号としてのＵＰ−ＲＣ信号を、被制御装置６００へ送信する。そして、ステップＳ１７７の処理は終了する。
【０２０８】
再び、図６を参照して、被制御装置６００では、制御信号対応処理ＴのステップＳ１４１が行なわれる。
【０２０９】
ステップＳ１４１では、前述したのと同様な処理が行なわれるので詳細な説明は繰り返さない。ここで、制御部６１０は、制御信号としてのＵＰ−ＲＣ信号を受信したとする。また、ＵＰ−ＲＣ信号は、有効制御信号であるとする。この場合、ステップＳ１４１でＹＥＳと判定され、ステップＳ１４２に進む。
【０２１０】
ステップＳ１４２では、前述したのと同様に制御信号対応処理が行なわれる。ここで、制御部６１０が受信した有効制御信号は、ＵＰ−ＲＣ信号であるとする。ここで、表示部６３０には、図９の番組リスト画像Ｇ２００が表示されているとする。
【０２１１】
この場合、制御信号対応処理では、制御部６１０が、ＶＤＰ６３２を利用して、表示部６３０で表示される番組リスト画像Ｇ２００に表示される選択枠ＳＲ２５０を、上に移動させることにより、番組画像ＢＧ２１２を選択状態にする。なお、選択枠ＳＲ２５０により番組画像が選択されている状態で、ＥＮＴＥＲ−ＲＣ信号を受信すると、制御信号対応処理では、選択されている番組画像に対応する番組の画像を、表示部６３０の表示面全体に表示させる処理が行なわれる。
【０２１２】
ステップＳ１４３では、前述したのと同様な処理が行なわれるので詳細な説明は繰り返さない。ここでは、有効制御信号の変更がないとして、再度、ステップＳ１４１の処理が行なわれる。
【０２１３】
再び、図１０を参照して、変更信号対応処理Ｍでは、ステップＳ１７７の処理の後、ステップＳ１７８に進む。
【０２１４】
ステップＳ１７８では、制御部５１０が、戻り操作があるが否かを判定する。ここで、戻り操作は、図１１の制御画像ＭＧ１００Ｂに表示されるボタン画像ＢＢＧに対応する機能ボタン５４２Ａを押下するためのインターフェース操作Ｍである。ステップＳ１７８において、ＹＥＳならば、この変更信号対応処理Ｍは終了し、再度、図６のステップＳ１１０の処理が行なわれる。一方、ステップＳ１７８において、ＮＯならば、再度、ステップＳ１７５の処理が行なわれる。
【０２１５】
なお、携帯端末装置５００の表示部５３０に、図７の制御画像ＭＧ１００が表示されている状態で、文字ボタン画像６ＢＧに対応する文字ボタン６Ｂが押下されると、図６のステップＳ１１４の処理等により、被制御装置６００で録画された番組（コンテンツ）のタイトルのリスト（一覧）を、被制御装置６００の表示部６３０に表示するための録画リスト表示ＲＣ信号が、被制御装置６００へ送信される。
【０２１６】
被制御装置６００では、図６のステップＳ１４２の処理等により、表示部６３０に録画された番組（コンテンツ）のタイトルのリストを表示した画像を表示させる処理が行なわれる。また、被制御装置６００では、ステップＳ１４４の処理が行なわれ、有効制御信号変更信号が、携帯端末装置５００へ送信される。
【０２１７】
携帯端末装置５００では、図１０の変更信号対応処理Ｍと同様な処理が行なわれることにより、録画されたコンテンツを選択し、被制御装置６００において、選択したコンテンツを再生させる処理を行なうことができる。
【０２１８】
以上説明したように、本実施の形態では、ボタンに割当てられた、制御信号としてのＲＣ信号が変更された場合、携帯端末装置５００が振動する。そのため、ユーザは、ボタンに割当てられたＲＣ信号の変更を容易に気づくことができる。そのため、ユーザによる誤操作の発生頻度を低減することができるという効果を奏する。
【０２１９】
また、本実施の形態では、ボタンに割当てられたＲＣ信号が変更されたことを、振動により、ユーザに通知するため、ユーザが被制御装置の方へ目を向けていても、ボタンに割当てられたＲＣ信号の変更を容易に気づくことができる。
【０２２０】
また、本実施の形態では、ボタンに割当てられたＲＣ信号が変更されたことを、振動により、ユーザに通知するため、被制御装置が音を発生していても、ユーザは、ボタンに割当てられたＲＣ信号の変更を容易に気づくことができる。
【０２２１】
また、本実施の形態では、被制御装置６００において、制御部６１０が、対応する処理を行なうことが可能な有効制御信号が変更された場合、当該有効制御信号の変更に応じて、携帯端末装置５００において、ボタンに割当てられた、制御信号としてのＲＣ信号が変更される。また、当該有効制御信号の変更に応じて、携帯端末装置５００に表示される制御画像が変更される。変更後の制御画像は、被制御装置６００において処理可能な制御信号としてのＲＣ信号を、被制御装置６００へ送信するための画像である。携帯端末装置５００において、ＲＣ信号および制御画像が変更された場合、携帯端末装置５００が振動する。
【０２２２】
したがって、ユーザは、ボタンに割当てられたＲＣ信号の変更を容易に気づくことができる。そのため、ユーザによる誤操作の発生頻度を低減することができるという効果を奏する。
【０２２３】
なお、本実施の形態では被制御装置６００が装置信号を送信するのは、携帯端末装置５００からの信号を受信してから行なわれているが、録画が開始された際に装置信号を送信するなど、被制御装置６００が単独で装置信号を送信する形態も考えられる。
【０２２４】
（機能ブロック図）
図１２は、本実施の形態における制御部５１０の機能ブロック図である。図１２を参照して、制御部５１０は、受付部５１１と、送信部５１３と、変更部５１５とを含む。
【０２２５】
受付部５１１は、指示入力を受付ける。送信部５１３は、受付部５１１が指示入力を受付けた場合、指示入力に対応する、被制御装置６００を制御するための制御信号を、被制御装置６００へ送信する。変更部５１５は、受付部５１１により受付けられた指示入力に対応する、被制御装置６００を制御するための制御信号を変更する。
【０２２６】
なお、制御部５１０に含まれる、受付部５１１、送信部５１３および変更部５１５の全てまたは一部は、ハードウエアで構成されてもよい。また、受付部５１１、送信部５１３および変更部５１５の全てまたは一部は、制御部５１０により実行されるプログラムのモジュールであってもよい。
【０２２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０２２８】
【図１】本実施の形態におけるネットワークシステムの構成を示す図である。
【図２】携帯端末装置の外観を正面から示した図である。
【図３】一例としての文字ボタン群を示す図である。
【図４】携帯端末装置の内部構成を示したブロック図である。
【図５】被制御装置の内部構成を示したブロック図である。
【図６】装置制御処理Ｍおよび制御信号対応処理Ｔのフローチャートを示す図である。
【図７】一例としての制御画像を示す図である。
【図８】一例としての制御画像を示す図である。
【図９】一例としての番組リスト画像を示す図である。
【図１０】変更信号対応処理Ｍのフローチャートである。
【図１１】一例としての制御画像を示す図である。
【図１２】本実施の形態における制御部の機能ブロック図である。
【符号の説明】
【０２２９】
７０  ネットワーク、１８０，１８０Ａ  プログラム、５００  携帯端末装置、５１０，６１０  制御部、５２０，６２０  記憶部、５３０，６３０  表示部、５４０  入力部、５５５  記録媒体、５７９  振動部、６００  被制御装置、１０００  ネットワークシステム。
【図１】
0005035841.tif 000002
【図２】
0005035841.tif 000003
【図３】
0005035841.tif 000004
【図４】
0005035841.tif 000005
【図５】
0005035841.tif 000006
【図６】
0005035841.tif 000007
【図７】
0005035841.tif 000008
【図８】
0005035841.tif 000009
【図９】
0005035841.tif 000010
【図１０】
0005035841.tif 000011
【図１１】
0005035841.tif 000012
【図１２】
0005035841.tif 000013